【手続補正書】
【提出日】平成20年2月5日(2008.2.5)
【手続補正１】
【補正対象書類名】特許請求の範囲
【補正対象項目名】全文
【補正方法】変更
【補正の内容】
【特許請求の範囲】
【請求項１】
ステントを患者の解剖学的管腔内で展開することを可能にするための装置において、
安定部材と、
遠位端および近位端を有する長手方向に延在する外側管状部材と、
遠位端および近位端を有する長手方向に延在する内側管状部材であって、内側管状部材の前記遠位端がチップを備え、内側管状部材が前記安定部材に連結され、内側管状部材が前記外側管状部材に対して長手方向でかつ軸方向に変位可能となるように内側管状部材の少なくとも一部が前記外側管状部材内に配置されている、内側管状部材と、
前記外側管状部材に連結された展開機構であって、初めに安全機構を解除しないで前記外側管状部材を前記内側管状部材に対して長手方向に少なくとも部分的に移動させるための解除部材を有する展開機構とを備えていることを特徴とするステント展開装置。
【請求項２】
前記展開機構が、第２解除部材をさらに備え、前記第２解除部材が、前記第２解除部材および前記外側管状部材を前記内側管状部材に対する前記外側管状部材の第１の位置から前記内側管状部材に対する前記外側管状部材の第２の位置へ前記安定部材に向かう方向に移動させるように、前記第１解除部材に操作可能に接続されていることを特徴とする請求項１に記載のステント展開装置。
【請求項３】
前記第１解除部材が、前記第１解除部材および前記外側管状部材を前記内側管状部材に対する前記外側管状部材の前記第２の位置から前記内側管状部材に対する前記外側管状部材の第３の位置へ前記安定部材に向かう方向に移動させるように、前記第２解除部材に対して移動可能に構成されていることを特徴とする請求項２に記載のステント展開装置。
【請求項４】
前記解除部材および前記外側管状部材が前記内側管状部材に対して前記外側管状部材の所定位置を越えて前記安定部材に向かって移動すること、を防ぐための安全部材をさらに備えていることを特徴とする請求項１に記載のステント展開装置。
【請求項５】
前記内側管状部材に対する前記外側管状部材の第１の位置から前記所定位置までの前記解除部材の移動が、前記ステントの少なくとも一部を露出させることに対応していることを特徴とする請求項４に記載のステント展開装置。
【請求項６】
前記ステントの露出する部分が、前記ステントの長さの約５％から約９５％の範囲内であることを特徴とする請求項５に記載のステント展開装置。
【請求項７】
前記安全部材が、前記安定部材と前記外側管状部材との間に配置された着脱可能なタブを備えていることを特徴とする請求項４に記載のステント展開装置。
【請求項８】
近位端および遠位端を有する細長の観察装置であって、前記観察装置の前記近位端を前記外側管状部材の前記近位端の外方に延在させるように、前記外側管状部材内に滑動可能に配置された観察装置をさらに備えていることを特徴とする請求項１に記載のステント展開装置。
【請求項９】
前記観察装置を前記外側管状部材に対して離脱可能に取付けるための手段をさらに備えていることを特徴とする請求項８に記載のステント展開装置。
【請求項１０】
前記観察装置を取付ける手段が、前記安定部材と関連していることを特徴とする請求項９に記載のステント展開装置。
【請求項１１】
前記観察装置を取付ける手段が、前記安定部材に螺合可能であるクランプを備えていることを特徴とする請求項１０に記載のステント展開装置。
【請求項１２】
患者の解剖学的管腔内に用いられるステント送達システムにおいて、
安定部材と、
遠位端および近位端を有する長手方向延在外側管状部材と、
遠位端および近位端を有する長手方向延在内側管状部材であって、内側管状部材の前記遠位端がチップを備え、内側管状部材が前記安定部材に連結され、内側管状部材の少なくとも一部は、内側管状部材が前記外側管状部材に対して長手方向でかつ軸方向に変位可能となるように、前記外側管状部材内に配置される内側管状部材と、
近位端および遠位端を有し、前記外側管状部材内に滑動可能に配置されたステントと、
前記外側管状部材に連結された展開機構であって、初めに安全機構を解除しないで前記外側管状部材を前記内側管状部材に対して長手方向に少なくとも部分的に移動させるための解除部材を有する展開機構とを備え、
前記内側管状部材の前記チップが、前記解除部材の前記安定部材に向かう移動とともに、前記ステントを前記外側管状部材の前記遠位端に向かって前進させるように、前記ステントの近位端に係合していることを特徴とするステント送達システム。
【請求項１３】
前記展開機構が、第２解除部材をさらに備え、前記第２解除部材が、前記第１解除部材および前記外側管状部材を前記内側管状部材に対する前記外側管状部材の第１の位置から前記内側管状部材に対する前記外側管状部材の第２の位置へ前記安定部材に向かう方向に移動させるように、前記第１解除部材に操作可能に接続され、前記ステントの一部が前記外側管状部材の前記遠位端の外方に露出するように構成されていることを特徴とする請求項１２に記載のステント送達システム。
【請求項１４】
前記第１解除部材が、前記ステントを前記外側管状部材の前記遠位端から展開させるために、前記第１解除部材および前記外側管状部材を前記内側管状部材に対する前記外側管状部材の前記第２の位置から前記内側管状部材に対する前記外側管状部材の第３の位置へ前記安定部材に向かう方向に移動させるように、前記第２解除部材に対して移動可能に構成されていることを特徴とする請求項１３に記載のステント送達システム。
【請求項１５】
前記解除部材および前記外側管状部材が前記内側管状部材に対して前記外側管状部材の所定位置を越えて前記安定部材に向かって移動すること、を防ぐための安全部材をさらに備えていることを特徴とする請求項１２に記載のステント送達システム。
【請求項１６】
前記内側管状部材に対する前記外側管状部材の第１の位置から前記所定位置までの前記解除部材の移動が、前記ステントの少なくとも一部を前記外側管状部材の前記遠位端の外方に露出させるように構成されていることを特徴とする請求項１５に記載のステント送達システム。
【請求項１７】
前記ステントの露出される部分が、前記ステントの長さの約５％から約９５％の範囲内であることを特徴とする請求項１６に記載のステント送達システム。
【請求項１８】
前記安全部材が、前記安定部材と前記外側管状部材との間に配置された着脱可能なタブを備えていることを特徴とする請求項１５に記載のステント送達システム。
【請求項１９】
近位端および遠位端を有する細長の観察装置であって、観察装置の前記近位端を前記外側管状部材の前記近位端の外方に延在させるように、前記外側管状部材内に滑動可能に配置された観察装置をさらに備えていることを特徴とする請求項１３に記載のステント送達システム。
【請求項２０】
前記観察装置を前記外側管状部材に対して離脱可能に取付けるための手段をさらに備えていることを特徴とする請求項１９に記載のステント送達システム。
【請求項２１】
前記観察装置を取付ける手段が、前記安定部材と関連していることを特徴とする請求項２０に記載のステント送達システム。
【請求項２２】
前記観察装置を取付ける手段が、前記安定部材内に螺合可能であるクランプを備えていることを特徴とする請求項２１に記載のステント送達システム。
【請求項２３】
ステントを患者の解剖学的管腔内に送達するための方法において、
安定部材と、遠位端および近位端を有する長手方向に延在する外側管状部材と、遠位端および近位端を有する長手方向に延在する内側管状部材であって、内側管状部材の前記遠位端がチップを有し、内側管状部材が前記安定部材に連結され、内側管状部材が前記外側管状部材に対して長手方向でかつ軸方向に変位可能となるように、内側管状部材の少なくとも一部が前記外側管状部材内に配置されている、内側管状部材と、前記外側管状部材に連結された展開機構であって、初めに安全機構を解除しないで前記外側管状部材を前記内側管状部材に対して長手方向に少なくとも部分的に移動させるための解除部材を有する展開機構とを備える送達装置を設けるステップと、
近位端および遠位端を有するステントを前記外側管状部材内に滑動可能に配置するステップと、
前記解除部材および前記外側管状部材を前記安定部材に向かう方向に前記内側管状部材に対して前進させるステップと、
前記内側管状部材の前記チップが、前記解除部材の前記安定部材に向かう移動とともに、前記ステントを前記外側管状部材の前記遠位端に向かって前進させるように前記ステントの前記近位端と係合するステップとを含む方法。
【請求項２４】
前記第１解除部材に移動可能に接続された第２解除部材を設けて、前記第２解除部材を前記内側管状部材に対する前記外側管状部材の第１の位置から前記内側管状部材に対する前記外側管状部材の第２の位置へ前記安定部材に向かう方向に前進させるステップと、前記ステントの一部が前記外側管状部材の前記遠位端の外方に露出するステップとをさらに含む請求項２３に記載のステント送達方法。
【請求項２５】
前記ステントを前記外側管状部材の前記遠位端から展開させるために、前記第１解除部材および前記外側管状部材を前記内側管状部材に対する前記外側管状部材の前記第２の位置から前記内側管状部材に対する前記外側管状部材の第３の位置へ前記安定部材に向かう方向に前進させるステップをさらに含む請求項２４に記載のステント送達方法。
【請求項２６】
前記解除部材および前記外側管状部材が前記内側管状部材に対して前記外側管状部材の所定位置を越えて前記安定部材に向かって移動すること、を防ぐステップをさらに含む請求項２３に記載のステント送達方法。
【請求項２７】
近位端および遠位端を有する細長の観察装置を設けて、前記観察装置の前記近位端を前記外側管状部材の前記近位端の外方に延在させるように、前記観察装置を前記外側管状部材内に滑動可能に取付けるステップをさらに含む特徴とする請求項２３に記載のステント送達方法。
【請求項２８】
前記観察装置を前記外側管状部材に対して離脱可能に取付けるステップをさらに含む請求項２９に記載のステント送達システム。